(57)【特許請求の範囲】
【請求項１】
自無線端末がＲＲＣコネクティッド状態とは異なる特定状態にある場合において、基地局から送信されるマルチキャスト／ブロードキャストデータを受信し、前記マルチキャスト／ブロードキャストデータに関するフィードバック情報を前記基地局に送信する処理を行う制御部を備え、
前記制御部は、
前記基地局から受信する参照信号の受信電力を測定する処理と、
前記測定した受信電力に関する値を閾値と比較する処理と、
前記比較結果に基づいて、前記フィードバック情報の送信に用いる送信パラメータを自律的に決定する処理と、
前記決定した送信パラメータを用いて前記フィードバック情報を送信する処理と、を行い、
前記送信パラメータは、タイミングアドバンス値又は時間・周波数リソースを含み、
前記制御部は、前記比較の結果に基づいて決定した前記タイミングアドバンス値又は前記時間・周波数リソースを用いて前記フィードバック情報を送信する処理を行う
無線端末。
【請求項２】
前記特定状態は、ＲＲＣアイドル状態である
請求項１に記載の無線端末。
【請求項３】
前記フィードバック情報は、前記マルチキャスト／ブロードキャストデータの受信に失敗したことを示す否定応答を含み、
前記制御部は、前記マルチキャスト／ブロードキャストデータの受信に成功しても、前記成功を示す肯定応答を前記基地局に送信しないように制御する
請求項１に記載の無線端末。
【請求項４】
前記制御部は、複数の無線端末に共通の時間・周波数リソースかつ共通の信号系列を用いて、前記否定応答を送信する処理を行う
請求項３に記載の無線端末。
【請求項５】
前記送信パラメータは、送信電力を含み、
前記制御部は、前記比較の結果に基づいて決定した前記送信電力を用いて前記フィードバック情報を送信する処理を行う
請求項１に記載の無線端末。
【請求項６】
前記送信パラメータは、送信電力を決定するためのパスロス補償係数を含み、
前記制御部は、前記パスロス補償係数として、所定のパスロス補償係数を決定し、
前記制御部は、前記所定のパスロス補償係数に基づいて、前記基地局との間のパスロスを最大限保証するように前記送信電力を決定する
請求項１に記載の無線端末。
【請求項７】
前記送信パラメータは、前記フィードバック情報に適用するサイクリックシフトを含む
請求項１に記載の無線端末。
【請求項８】
前記送信パラメータは、前記フィードバック情報に適用するサブキャリアごとの送信電力を含む
請求項１に記載の無線端末。
【請求項９】
前記制御部は、ランダム値に基づいて前記送信パラメータを決定する
請求項１に記載の無線端末。
【請求項１０】
前記制御部は、自無線端末の属性に基づいて前記送信パラメータを決定する
請求項１に記載の無線端末。
【請求項１１】
無線端末のための方法であって、
前記無線端末がＲＲＣコネクティッド状態とは異なる特定状態にある場合において、
基地局から送信されるマルチキャスト／ブロードキャストデータを受信し、
前記基地局から受信する参照信号の受信電力を測定し、
前記測定した受信電力に関する値を閾値と比較し、
前記比較結果に基づいて、前記マルチキャスト／ブロードキャストデータに関するフィードバック情報の送信に用いる送信パラメータを自律的に決定し、
前記決定した送信パラメータを用いて前記フィードバック情報を前記基地局に送信し、
前記送信パラメータは、タイミングアドバンス値又は時間・周波数リソースを含み、
前記比較の結果に基づいて決定した前記タイミングアドバンス値又は前記時間・周波数リソースを用いて前記フィードバック情報を送信する処理を行う
方法。
【請求項１２】
無線端末及び基地局を有するシステムであって、
前記無線端末は、
自無線端末がＲＲＣコネクティッド状態とは異なる特定状態にある場合において、前記基地局から送信されるマルチキャスト／ブロードキャストデータを受信し、前記マルチキャスト／ブロードキャストデータに関するフィードバック情報を前記基地局に送信する処理を行う制御部を備え、
前記基地局から受信する参照信号の受信電力を測定する処理と、
前記測定した受信電力に関する値を閾値と比較する処理と、
前記比較結果に基づいて、前記フィードバック情報の送信に用いる送信パラメータを自律的に決定する処理と、
前記決定した送信パラメータを用いて前記フィードバック情報を送信する処理と、を行い、
前記送信パラメータは、タイミングアドバンス値又は時間・周波数リソースを含み、
前記制御部は、前記比較の結果に基づいて決定した前記タイミングアドバンス値又は前記時間・周波数リソースを用いて前記フィードバック情報を送信する処理を行う
システム。
【発明の詳細な説明】
【技術分野】
【０００１】
本発明は、移動通信システムにおける無線端末及び方法に関する。
【背景技術】
【０００２】
移動通信システムにおいて、無線端末と基地局との間の下りリンクには、ユニキャスト（ＰＴＰ：Ｐｏｉｎｔ  Ｔｏ  Ｐｏｉｎｔ）伝送が適用されることが一般的である。【０００３】
下りリンクのユニキャスト伝送において、無線端末は、下りリンクに関するフィードバック情報を基地局に送信する。フィードバック情報とは、下りリンクデータを正しく受信したか否かを示す送達確認情報（ＡＣＫ／ＮＡＣＫ）、及び下りリンクのチャネル状態を示すチャネル状態情報（ＣＳＩ）である。基地局は、フィードバック情報に基づいて、下りリンクデータの送信を制御する。【０００４】
近年では、マルチキャスト／ブロードキャスト（ＰＴＭ：Ｐｏｉｎｔ  Ｔｏ  Ｍｕｌｔｉｐｏｉｎｔ）伝送が注目されている。下りリンクのマルチキャスト／ブロードキャスト伝送において、基地局は、同一の下りリンク無線リソースを用いて、複数の無線端末に同一の下りリンクデータ（以下、適宜「マルチキャスト／ブロードキャストデータ」という）を送信する。マルチキャスト／ブロードキャスト伝送は、ユニキャスト伝送に比べて、下りリンク無線リソースの利用効率を高めることができる。
【先行技術文献】
【非特許文献】
【０００５】
【非特許文献１】３ＧＰＰ技術仕様書「３ＧＰＰ  ＴＳ３６．３００  Ｖ１３．３．０」２０１６年３月
【発明の概要】
【０００６】
一実施形態に係る無線端末は、自無線端末がＲＲＣコネクティッド状態とは異なる特定状態にある場合において、基地局から送信されるマルチキャスト／ブロードキャストデータを受信し、前記マルチキャスト／ブロードキャストデータに関するフィードバック情報を前記基地局に送信する処理を行う制御部を備える。前記制御部は、前記フィードバック情報の送信に用いる送信パラメータを自律的に決定し、前記決定した送信パラメータを用いて前記フィードバック情報を送信する。
【０００７】
一実施形態に係る方法は、無線端末のための方法である。前記方法は、前記無線端末がＲＲＣコネクティッド状態とは異なる特定状態にある場合において、基地局から送信されるマルチキャスト／ブロードキャストデータを受信し、前記マルチキャスト／ブロードキャストデータに関するフィードバック情報の送信に用いる送信パラメータを自律的に決定し、前記決定した送信パラメータを用いて前記フィードバック情報を前記基地局に送信する。
【図面の簡単な説明】
【０００８】
【図１】実施形態に係るＬＴＥシステムの構成図である。
【図２】実施形態に係る無線インターフェイスのプロトコルスタック図である。
【図３】実施形態に係る無線フレームの構成図である。
【図４】実施形態に係るＵＥのブロック図である。
【図５】実施形態に係るｅＮＢのブロック図である。
【図６】実施形態に係るＳＣ−ＰＴＭ関連動作を示す図である。
【図７】実施形態に係る動作シーケンスの一例を示す図である。
【図８】実施形態に係るＲＳＲＰ閾値とＴＡ値との対応関係を示す図である。
【図９】実施形態に係るサイクリックシフトの周波数表現を示す図である。
【図１０】実施形態に係るサイクリックシフトの時間表現を示す図である。
【図１１】実施形態に係るＲＳＲＰ閾値と時間・周波数リソースとの対応関係を示す図である。
【発明を実施するための形態】
【０００９】
（移動通信システム）
以下において、実施形態に係る移動通信システムについて説明する。実施形態に係る移動通信システムは、３ＧＰＰ（３ｒｄ  Ｇｅｎｅｒａｔｉｏｎ  Ｐａｒｔｎｅｒｓｈｉｐ  Ｐｒｏｊｅｃｔ）規格に基づくＬＴＥ（Ｌｏｎｇ  Ｔｅｒｍ  Ｅｖｏｌｕｔｉｏｎ）システムである。
【００１０】
図１は、ＬＴＥシステムの構成図である。図１に示すように、ＬＴＥシステムは、ＵＥ（Ｕｓｅｒ  Ｅｑｕｉｐｍｅｎｔ）１００、Ｅ−ＵＴＲＡＮ（Ｅｖｏｌｖｅｄ−ＵＭＴＳ  Ｔｅｒｒｅｓｔｒｉａｌ  Ｒａｄｉｏ  Ａｃｃｅｓｓ  Ｎｅｔｗｏｒｋ）１０、及びＥＰＣ（Ｅｖｏｌｖｅｄ  Ｐａｃｋｅｔ  Ｃｏｒｅ）２０を備える。
【００１１】
ＵＥ１００は、無線端末に相当する。ＵＥ１００は、移動型の通信装置であり、セル（サービングセル）との無線通信を行う。ＵＥ１００の構成については後述する。
【００１２】
Ｅ−ＵＴＲＡＮ１０は、無線アクセスネットワークに相当する。Ｅ−ＵＴＲＡＮ１０は、ｅＮＢ２００（ｅｖｏｌｖｅｄ  Ｎｏｄｅ−Ｂ）を含む。ｅＮＢ２００は、基地局に相当する。ｅＮＢ２００は、Ｘ２インターフェイスを介して相互に接続される。ｅＮＢ２００の構成については後述する。
【００１３】
ｅＮＢ２００は、１又は複数のセルを管理しており、自セルとの接続を確立したＵＥ１００との無線通信を行う。ｅＮＢ２００は、無線リソース管理（ＲＲＭ）機能、ユーザデータ（以下、単に「データ」という）のルーティング機能、モビリティ制御・スケジューリングのための測定制御機能等を有する。「セル」は、無線通信エリアの最小単位を示す用語として使用される他に、ＵＥ１００との無線通信を行う機能を示す用語としても使用される。
【００１４】
ＥＰＣ２０は、コアネットワークに相当する。ＥＰＣ２０は、ＭＭＥ（Ｍｏｂｉｌｉｔｙ  Ｍａｎａｇｅｍｅｎｔ  Ｅｎｔｉｔｙ）／Ｓ−ＧＷ（Ｓｅｒｖｉｎｇ−Ｇａｔｅｗａｙ）３００を含む。ＭＭＥは、ＵＥ１００に対する各種モビリティ制御等を行う。Ｓ−ＧＷは、データの転送制御を行う。ＭＭＥ／Ｓ−ＧＷ３００は、Ｓ１インターフェイスを介してｅＮＢ２００と接続される。Ｅ−ＵＴＲＡＮ１０及びＥＰＣ２０は、ネットワークを構成する。
【００１５】
また、Ｅ−ＵＴＲＡＮ１０は、ＭＣＥ（Ｍｕｌｔｉ−Ｃｅｌｌ／Ｍｕｌｔｉｃａｓｔ  Ｃｏｏｒｄｉｎａｔｉｎｇ  Ｅｎｔｉｔｙ）を含んでもよい。ＭＣＥは、Ｍ２インターフェイスを介してｅＮＢ２００と接続され、Ｍ３インターフェイスを介してＭＭＥ３００と接続される。ＭＣＥは、ＭＢＳＦＮ無線リソース管理・割当等を行う。
【００１６】
ＥＰＣ２０は、ＭＢＭＳ  ＧＷ（Ｍｕｌｔｉｍｅｄｉａ  Ｂｒｏａｄｃａｓｔ  Ｍｕｌｔｉｃａｓｔ  Ｓｅｒｖｉｃｅ  Ｇａｔｅｗａｙ）を含んでもよい。ＭＢＭＳ  ＧＷは、Ｍ１インターフェイスを介してｅＮＢ２００と接続され、Ｓｍインターフェイスを介してＭＭＥ３００と接続され、ＳＧ−ｍｂ及びＳＧｉ−ｍｂインターフェイスを介してＢＭ−ＳＣ（後述）と接続される。ＭＢＭＳ  ＧＷは、ＭＢＭＳ用のＳ−ＧＷのような役割を果たし、ｅＮＢ２００に対してＩＰマルチキャストのデータ伝送やセッション制御を行う。
【００１７】
また、ＥＰＣ２０は、ＢＭ−ＳＣ（Ｂｒｏａｄｃａｓｔ  Ｍｕｌｔｉｃａｓｔ  Ｓｅｒｖｉｃｅ  Ｃｅｎｔｅｒ）を含んでもよい。ＢＭ−ＳＣは、ＳＧ−ｍｂ及びＳＧｉ−ｍｂインターフェイスを介してＭＢＭＳ  ＧＷと接続され、ＳＧｉインターフェイスを介してＰ−ＧＷと接続される。ＢＭ−ＳＣは、ＭＢＭＳ用のＰ−ＧＷのような役割を果たし、主にＴＭＧＩ（Ｔｅｍｐｏｒａｒｙ  Ｍｏｂｉｌｅ  Ｇｒｏｕｐ  Ｉｄｅｎｔｉｔｙ）の管理・割当等を行う。
【００１８】
さらに、ＥＰＣ２０の外部（すなわち、インターネット）には、ＧＣＳ  ＡＳ（Ｇｒｏｕｐ  Ｃｏｍｍｕｎｉｃａｔｉｏｎ  Ｓｅｒｖｉｃｅ  Ａｐｐｌｉｃａｔｉｏｎ  Ｓｅｒｖｅｒ）が設けられてもよい。ＧＣＳ  ＡＳは、グループ通信用のアプリケーションサーバーである。ＧＣＳ  ＡＳは、ＭＢ２−Ｕ及びＭＢ２−Ｃインターフェイスを介してＢＭ−ＳＣと接続され、ＳＧｉインターフェイスを介してＰ−ＧＷと接続される。ＧＣＳ  ＡＳは、グループ通信におけるグループの管理やデータ配信（ＭＢＭＳを使うか、ユニキャストを使うかの判断も含む）等を行う。
【００１９】
図２は、ＬＴＥシステムにおける無線インターフェイスのプロトコルスタック図である。図２に示すように、無線インターフェイスプロトコルは、ＯＳＩ参照モデルの第１層乃至第３層に区分されており、第１層は物理（ＰＨＹ）層である。第２層は、ＭＡＣ（Ｍｅｄｉｕｍ  Ａｃｃｅｓｓ  Ｃｏｎｔｒｏｌ）層、ＲＬＣ（Ｒａｄｉｏ  Ｌｉｎｋ  Ｃｏｎｔｒｏｌ）層、及びＰＤＣＰ（Ｐａｃｋｅｔ  Ｄａｔａ  Ｃｏｎｖｅｒｇｅｎｃｅ  Ｐｒｏｔｏｃｏｌ）層を含む。第３層は、ＲＲＣ（Ｒａｄｉｏ  Ｒｅｓｏｕｒｃｅ  Ｃｏｎｔｒｏｌ）層を含む。
【００２０】
物理層は、符号化・復号、変調・復調、アンテナマッピング・デマッピング、及びリソースマッピング・デマッピングを行う。ＵＥ１００の物理層とｅＮＢ２００の物理層との間では、物理チャネルを介してデータ及び制御信号が伝送される。
【００２１】
ＭＡＣ層は、データの優先制御、ハイブリッドＡＲＱ（ＨＡＲＱ）による再送処理、及びランダムアクセス手順等を行う。ＵＥ１００のＭＡＣ層とｅＮＢ２００のＭＡＣ層との間では、トランスポートチャネルを介してデータ及び制御信号が伝送される。ｅＮＢ２００のＭＡＣ層は、上下リンクのトランスポートフォーマット（トランスポートブロックサイズ、変調・符号化方式（ＭＣＳ））及びＵＥ１００への割当リソースブロックを決定するスケジューラを含む。
【００２２】
ＲＬＣ層は、ＭＡＣ層及び物理層の機能を利用してデータを受信側のＲＬＣ層に伝送する。ＵＥ１００のＲＬＣ層とｅＮＢ２００のＲＬＣ層との間では、論理チャネルを介してデータ及び制御信号が伝送される。
【００２３】
ＰＤＣＰ層は、ヘッダ圧縮・伸張、及び暗号化・復号化を行う。
【００２４】
ＲＲＣ層は、制御信号を取り扱う制御プレーンでのみ定義される。ＵＥ１００のＲＲＣ層とｅＮＢ２００のＲＲＣ層との間では、各種設定のためのメッセージ（ＲＲＣメッセージ）が伝送される。ＲＲＣ層は、無線ベアラの確立、再確立及び解放に応じて、論理チャネル、トランスポートチャネル、及び物理チャネルを制御する。ＵＥ１００のＲＲＣとｅＮＢ２００のＲＲＣとの間に接続（ＲＲＣ接続）がある場合、ＵＥ１００はＲＲＣコネクティッド状態であり、そうでない場合、ＵＥ１００はＲＲＣアイドル状態である。
【００２５】
ＲＲＣ層の上位に位置するＮＡＳ（Ｎｏｎ−Ａｃｃｅｓｓ  Ｓｔｒａｔｕｍ）層は、セッション管理及びモビリティ管理等を行う。
【００２６】
図３は、ＬＴＥシステムで使用される無線フレームの構成図である。ＬＴＥシステムは、下りリンクにはＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ  Ａｃｃｅｓｓ）、上りリンクにはＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）がそれぞれ適用される。
【００２７】
図３に示すように、無線フレームは、時間方向に並ぶ１０個のサブフレームで構成される。各サブフレームは、時間方向に並ぶ２個のスロットで構成される。各サブフレームの長さは１ｍｓであり、各スロットの長さは０．５ｍｓである。各サブフレームは、周波数方向に複数個のリソースブロック（ＲＢ）を含み、時間方向に複数個のシンボルを含む。各リソースブロックは、周波数方向に複数個のサブキャリアを含む。１つのシンボル及び１つのサブキャリアにより１つのリソースエレメント（ＲＥ）が構成される。また、ＵＥ１００に割り当てられる無線リソース（時間・周波数リソース）のうち、周波数リソースはリソースブロックにより特定でき、時間リソースはサブフレーム（又はスロット）により特定できる。
【００２８】
下りリンクにおいて、各サブフレームの先頭数シンボルの区間は、主に下りリンク制御信号を伝送するための物理下りリンク制御チャネル（ＰＤＣＣＨ）として使用される領域である。また、各サブフレームの残りの部分は、主に下りリンクデータを伝送するための物理下りリンク共有チャネル（ＰＤＳＣＨ）として使用できる領域である。また、各サブフレームには、セル固有参照信号（ＣＲＳ：Ｃｅｌｌ  ｓｐｅｃｉｆｉｃ  Ｒｅｆｅｒｅｎｃｅ  Ｓｉｇｎａｌ）などの下りリンク参照信号が配置される。
【００２９】
上りリンクにおいて、各サブフレームにおける周波数方向の両端部は、主に上りリンク制御信号を伝送するための物理上りリンク制御チャネル（ＰＵＣＣＨ）として使用される領域である。各サブフレームにおける残りの部分は、主に上りリンクデータを伝送するための物理上りリンク共有チャネル（ＰＵＳＣＨ）として使用できる領域である。また、各サブフレームには、サウンディング参照信号（ＳＲＳ）などの上りリンク参照信号が配置される。
【００３０】
（無線端末の構成）
図４は、ＵＥ１００（無線端末）の構成を示すブロック図である。図４に示すように、ＵＥ１００は、受信部１１０、送信部１２０、及び制御部１３０を備える。
【００３１】
受信部１１０は、制御部１３０の制御下で各種の受信を行う。受信部１１０は、アンテナ及び受信機を含む。受信機は、アンテナが受信する無線信号をベースバンド信号（受信信号）に変換して制御部１３０に出力する。
【００３２】
送信部１２０は、制御部１３０の制御下で各種の送信を行う。送信部１２０は、アンテナ及び送信機を含む。送信機は、制御部１３０が出力するベースバンド信号（送信信号）を無線信号に変換してアンテナから送信する。
【００３３】
制御部１３０は、ＵＥ１００における各種の制御を行う。制御部１３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、音声・映像信号の符号化・復号を行うコーデックを含んでもよい。プロセッサは、後述する各種の処理及び上述した各種の通信プロトコルを実行する。
【００３４】
ＵＥ１００は、ユーザインターフェイス及びバッテリを備えてもよい。ユーザインターフェイスは、ＵＥ１００を所持するユーザとのインターフェイスであり、例えば、ディスプレイ、マイク、スピーカ、及び各種ボタン等を含む。ユーザインターフェイスは、ユーザからの操作を受け付けて、該操作の内容を示す信号を制御部１３０に出力する。バッテリは、ＵＥ１００の各ブロックに供給すべき電力を蓄える。
【００３５】
（基地局の構成）
図５は、ｅＮＢ２００（基地局）のブロック図である。図５に示すように、ｅＮＢ２００は、送信部２１０、受信部２２０、制御部２３０、及びバックホール通信部２４０を備える。
【００３６】
送信部２１０は、制御部２３０の制御下で各種の送信を行う。送信部２１０は、アンテナ及び送信機を含む。送信機は、制御部１３０が出力するベースバンド信号（送信信号）を無線信号に変換してアンテナから送信する。
【００３７】
受信部２２０は、制御部２３０の制御下で各種の受信を行う。受信部２２０は、アンテナ及び受信機を含む。受信機は、アンテナが受信する無線信号をベースバンド信号（受信信号）に変換して制御部２３０に出力する。
【００３８】
制御部２３０は、ｅＮＢ２００における各種の制御を行う。制御部２３０は、プロセッサ及びメモリを含む。メモリは、プロセッサにより実行されるプログラム、及びプロセッサによる処理に使用される情報を記憶する。プロセッサは、ベースバンド信号の変調・復調及び符号化・復号等を行うベースバンドプロセッサと、メモリに記憶されるプログラムを実行して各種の処理を行うＣＰＵ（Ｃｅｎｔｒａｌ  Ｐｒｏｃｅｓｓｉｎｇ  Ｕｎｉｔ）と、を含む。プロセッサは、後述する各種の処理及び上述した各種の通信プロトコルを実行する。
【００３９】
バックホール通信部２４０は、Ｘ２インターフェイスを介して隣接ｅＮＢ２００と接続され、Ｓ１インターフェイスを介してＭＭＥ／Ｓ−ＧＷ３００と接続される。バックホール通信部２４０は、Ｘ２インターフェイス上で行う通信及びＳ１インターフェイス上で行う通信等に使用される。
【００４０】
（ユニキャスト伝送）
ＬＴＥシステムにおいて、ＵＥ１００とｅＮＢ２００との間の下りリンクには、ユニキャスト（ＰＴＰ：Ｐｏｉｎｔ  Ｔｏ  Ｐｏｉｎｔ）伝送が適用されることが一般的である。下りリンクのユニキャスト伝送において、ｅＮＢ２００は、ＵＥ１００からのフィードバック情報に基づいて、ＵＥ１００への下りリンクデータの送信を制御する。ＵＥ１００は、下りリンクに関するフィードバック情報をｅＮＢ２００に送信する。フィードバック情報とは、送達確認情報（ＡＣＫ／ＮＡＣＫ）及びチャネル状態情報（ＣＳＩ）である。
【００４１】
下りリンクにおいて、ｅＮＢ２００は、ＰＤＣＣＨを用いて下りリンク制御信号をＵＥ１００に送信し、ＰＤＳＣＨを用いて下りリンク制御信号及び／又は下りリンクデータをＵＥ１００に送信する。ＰＤＣＣＨが搬送する下りリンク制御信号は、上りリンクＳＩ（Ｓｃｈｅｄｕｌｉｎｇ  Ｉｎｆｏｒｍａｔｉｏｎ）、下りリンクＳＩ、ＴＰＣビットを含む。上りリンクＳＩは上りリンク無線リソースの割当てに関するスケジューリング情報であり、下りリンクＳＩは、下りリンク無線リソースの割当てに関するスケジューリング情報である。ＴＰＣビットは、上りリンクの送信電力の増減を指示する情報である。ｅＮＢ２００は、下りリンク制御信号の送信先のＵＥ１００を識別するために、送信先のＵＥ１００の識別子（ＲＮＴＩ：Ｒａｄｉｏ  Ｎｅｔｗｏｒｋ  Ｔｅｍｐｏｒａｒｙ  ＩＤ）でスクランブリングしたＣＲＣビットを下りリンク制御信号に含める。各ＵＥ１００は、自ＵＥ宛ての可能性がある下りリンク制御信号について、自ＵＥのＲＮＴＩでＣＲＣビットをデスクランブリングすることにより、ＰＤＣＣＨをブラインド復号（Ｂｌｉｎｄ  ｄｅｃｏｄｉｎｇ）して、自ＵＥ宛の下りリンク制御信号を検出する。ＰＤＳＣＨは、下りリンクＳＩが示す下りリンク無線リソース（リソースブロック）によりデータを搬送する。
【００４２】
上りリンクにおいて、ＵＥ１００は、ＰＵＣＣＨを用いて上りリンク制御信号をｅＮＢ２００に送信し、ＰＵＳＣＨを用いて上りリンク制御信号及び／又は上りリンクデータをｅＮＢ２００に送信する。ＰＵＣＣＨが運搬する上りリンク制御信号は、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｉｃａｔｏｒ）、ＲＩ（Ｒａｎｋ  Ｉｎｄｉｃａｔｏｒ）、ＳＲ（Ｓｃｈｅｄｕｌｉｎｇ  Ｒｅｑｕｅｓｔ）、ＡＣＫ／ＮＡＣＫを含む。ＣＱＩは、下りリンクのチャネル品質を示すインデックスであり、下りリンク伝送に使用すべきＭＣＳの決定等に使用される。ＰＭＩは、下りリンクの伝送のために使用することが望ましいプレコーダマトリックスを示すインデックスである。ＲＩは、下りリンクの伝送に使用可能なレイヤ数（ストリーム数）を示すインデックスである。ＣＱＩ、ＰＭＩ、及びＲＩは、ＵＥ１００が下りリンク参照信号を利用してチャネル推定を行うことにより得られる情報であり、下りリンクのチャネル状態を示すチャネル状態情報（ＣＳＩ）である。ＳＲは、上りリンク無線リソース（リソースブロック）の割当てを要求する情報である。ＡＣＫ／ＮＡＣＫは、下りリンクデータを正しく受信したか否かを示す送達確認情報である。ＰＵＳＣＨは、主に上りリンクデータを搬送するが、上りリンク制御信号の搬送にも使用可能である。
【００４３】
（マルチキャスト／ブロードキャスト伝送）
ＬＴＥシステムにおいて、マルチキャスト／ブロードキャスト伝送を実現するために、ＭＢＭＳ（Ｍｕｌｔｉｍｅｄｉａ  Ｂｒｏａｄｃａｓｔ  Ｍｕｌｔｉｃａｓｔ  Ｓｅｒｖｉｃｅ）が規定されている。
【００４４】
ＭＢＭＳにおいて、複数のセルは、ＭＢＳＦＮ（Ｍｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ）サブフレームと称される特別な下りリンクサブフレームを用いて、マルチキャスト／ブロードキャストデータを送信する。具体的には、同一のＭＢＳＦＮエリアに属する複数のセルは、同一のマルチキャスト／ブロードキャストデータを送信する。ＵＥ１００は、複数のセルから送信されるマルチキャスト／ブロードキャストデータを受信する。
【００４５】
このようなＭＢＭＳの仕組みにおいて、ＭＢＳＦＮサブフレームがＭＢＭＳ用となってしまうことに加えて、ＭＢＳＦＮサブフレームは動的に変更できない。よって、ＭＢＭＳは、無線リソースの無駄が生じ易い。
【００４６】
一方で、無線リソースの利用効率を高めつつマルチキャスト伝送を実現するために、単一セルＰＴＭ伝送（ＳＣ−ＰＴＭ）が導入されている。図６は、ＳＣ−ＰＴＭ関連動作を示す図である。
【００４７】
図６に示すように、ＳＣ−ＰＴＭにおいて、ｅＮＢ２００は、ＰＤＳＣＨを用いて、単一のセルによりマルチキャストデータを送信する。すなわち、ＭＢＳＦＮエリア単位でのマルチキャスト／ブロードキャスト伝送が適用されるＭＢＭＳとは異なり、ＳＣ−ＰＴＭは、セル単位でのマルチキャスト／ブロードキャスト伝送が適用される。同一のマルチキャストデータを受信する複数のＵＥ１００（ＵＥ１００−１、ＵＥ１００−２…）は、ＵＥグループを構成する。当該ＵＥグループ内の各ＵＥ１００には、共通のグループ識別子（例えば、グループＲＮＴＩ）が割り当てられている。グループ識別子は、ｅＮＢ２００（又はＭＣＥ）により割り当てられる。或いは、グループ識別子は、コアネットワーク（ＥＰＣ２０）のエンティティにより割り当てられてもよい。或いは、グループ識別子は、アプリケーションサーバ（例えば、ＧＣＳ  ＡＳ）により割り当てられてもよい。
【００４８】
ｅＮＢ２００は、グループ識別子を用いて、ＵＥグループを構成する各ＵＥ１００に同一の下りリンク制御信号（下りリンクＳＩ等）及び下りリンクデータ（マルチキャストデータ）を送信する。例えば、ｅＮＢ２００は、グループ識別子でスクランブリングしたＣＲＣビットを下りリンク制御信号に含めて、ＰＤＣＣＨにより下りリンク制御信号を送信する。また、ｅＮＢ２００は、下りリンクＳＩが示す下りリンク無線リソース（少なくとも１つのリソースブロック）を用いて、ＰＤＳＣＨによりマルチキャストデータを送信する。
【００４９】
各ＵＥ１００は、グループ識別子でＣＲＣビットをデスクランブリングすることにより、ＰＤＣＣＨをブラインド復号（Ｂｌｉｎｄ  ｄｅｃｏｄｉｎｇ）して、自ＵＥ１００が属するＵＥグループ宛の下りリンク制御信号を検出する。そして、各ＵＥ１００は、下りリンクＳＩが示す下りリンク無線リソース（リソースブロック）を用いてマルチキャストデータを受信する。
【００５０】
このようなＳＣ−ＰＴＭの仕組みは、ＰＤＳＣＨにおいてリソースブロック単位でのリソース割り当てが可能である。このため、必要最小限の無線リソースを用いてマルチキャストデータを送受信可能であり、かつ、割り当て無線リソースを動的又は準静的に変更可能である。よって、ＳＣ−ＰＴＭは、ＭＢＭＳに比べて無線リソースの無駄が生じ難い。
【００５１】
（Ｎａｃｋ−ｏｎｌｙ  ＨＡＲＱフィードバックの基本動作）
実施形態において、ＳＣ−ＰＴＭにフィードバックを導入する。実施形態において、フィードバック情報が送達確認情報（ＡＣＫ／ＮＡＣＫ）である一例を説明する。
【００５２】
まず、ＵＥ１００の動作について説明する。具体的には、図６において、ｅＮＢ２００と、ＵＥグループに含まれる１つのＵＥ１００（例えばＵＥ１００−１）との間の動作を説明する。実施形態において、ＳＣ−ＰＴＭの受信を行うＵＥ１００がＲＲＣアイドル状態であるケースを主として想定する。
【００５３】
ＵＥ１００の送信部１２０は、下りリンクのユニキャスト伝送が適用される場合、下りリンクデータを正しく受信したことを示す肯定応答（ＡＣＫ）及び下りリンクデータの受信に失敗したことを示す否定応答（ＮＡＣＫ）の何れかをフィードバック情報としてｅＮＢ２００に送信する。すなわち、下りリンクデータの受信に失敗すればＮＡＣＫを送信し、下りリンクデータを正しく受信すればＡＣＫを送信する。なお、ＡＣＫとはＨＡＲＱ  ＡＣＫであり、ＮＡＣＫとはＨＡＲＱ  ＮＡＣＫである。
【００５４】
一方、ＳＣ−ＰＴＭが適用される場合、制御部１３０は、ＡＣＫ及びＮＡＣＫのうちＮＡＣＫのみをフィードバック情報としてｅＮＢ２００に送信するように、ＡＣＫの送信を停止する。すなわち、下りリンクデータ（マルチキャストデータ）の受信に失敗すればＮＡＣＫを送信するが、下りリンクデータ（マルチキャストデータ）を正しく受信してもＡＣＫを送信しない。
【００５５】
このように、ＳＣ−ＰＴＭについてはＮＡＣＫのみを送達確認情報として使用することにより、ＡＣＫの送信に伴う上りリンク無線リソース（例えば、ＰＵＣＣＨリソース）を節約することができる。
【００５６】
また、ＳＣ−ＰＴＭが適用される場合、ＵＥ１００の送信部１２０は、ｅＮＢ２００とＳＣ−ＰＴＭを行う複数のＵＥ１００（ＵＥグループ）で共通の無線リソース（リソースエレメント）、且つ共通の信号系列（ベースシーケンス）を用いて、ＮＡＣＫを送信する。具体的には、このような共通リソースがｅＮＢ２００からＵＥグループごとに割り当てられており、ＵＥ１００は、自身が属するＵＥグループの共通リソースを用いてＮＡＣＫを送信する。このような共通リソースの割り当ては、システム情報（ＳＩＢ：Ｓｙｓｔｅｍ  Ｉｎｆｏｒｍａｔｉｏｎ  Ｂｌｏｃｋ）によりブロードキャストで指定してもよいし、ＰＤＣＣＨでのＳＣ−ＰＴＭ割当時のＤＣＩで指定してもよい。
【００５７】
これにより、ＮＡＣＫの送信に伴う上りリンク無線リソース（例えば、ＰＵＣＣＨリソース）も節約することができる。
【００５８】
但し、このような共通リソースによるＮＡＣＫを適用することにより、複数のＵＥ１００のＮＡＣＫが合成されることになり、ｅＮＢ２００はＮＡＣＫの送信元ＵＥを識別することができない。しかしながら、再送をグループ内各ＵＥ１００にマルチキャストで行うことにより、どのＵＥ１００からのＮＡＣＫであるかを識別することを要しない。
【００５９】
また、ＳＣ−ＰＴＭが適用される場合、ＵＥ１００の送信部１２０は、複数のＵＥ１００で共通の無線リソース、且つ共通の信号系列を用いて、ＮＡＣＫの復調参照信号（ＤＭＲＳ）を送信することが好ましい。これにより、ＮＡＣＫがｅＮＢ２００において良好に復調される。このような共通リソースの割り当ては、システム情報（ＳＩＢ）によりブロードキャストで指定してもよいし、ＰＤＣＣＨでのＳＣ−ＰＴＭ割当時のＤＣＩで指定してもよい。なお、「ＮＡＣＫのＤＭＲＳ」とは、ＮＡＣＫに付随するＤＭＲＳであって、ＮＡＣＫとは別のＤＭＲＳを指す。或いは、ＤＭＲＳの系列にＮＡＣＫを含める場合、「ＮＡＣＫのＤＭＲＳ」とは、ＮＡＣＫを含むＤＭＲＳを指す。
【００６０】
次に、ｅＮＢ２００の動作について説明する。ｅＮＢ２００の受信部２２０は、下りリンクのユニキャスト伝送が適用される場合、下りリンクデータを正しく受信したことを示すＡＣＫ及び下りリンクデータの受信に失敗したことを示すＮＡＣＫの何れかをフィードバック情報としてＵＥ１００から受信する。一方、ＳＣ−ＰＴＭが適用される場合、ｅＮＢ２００の受信部２２０は、ＡＣＫ及びＮＡＣＫのうちＮＡＣＫのみをフィードバック情報としてＵＥ１００から受信する。
【００６１】
ＳＣ−ＰＴＭが適用される場合、ｅＮＢ２００の制御部２３０は、自ｅＮＢ２００とＳＣ−ＰＴＭを行う複数のＵＥ１００（ＵＥグループ）に対して、ＮＡＣＫの送信用に共通の無線リソース、且つ共通の信号系列を割り当てる。具体的には、このような共通リソースをＵＥグループごとに割り当てる。また、ＳＣ−ＰＴＭが適用される場合、ｅＮＢ２００の制御部２３０は、複数のＵＥ１００に対して、ＮＡＣＫの復調参照信号（ＤＭＲＳ）の送信用に共通の無線リソース、且つ共通の信号系列を割り当てることが好ましい。
【００６２】
次に、動作シーケンスの一例について説明する。図７は、実施形態に係る動作シーケンスの一例を示す図である。
【００６３】
図７に示すように、ステップＳ１０１において、ｅＮＢ２００は、ＮＡＣＫ送信用の共通リソースに関する設定情報をグループ内ＵＥ１００（ＵＥ１００−１、ＵＥ１００−２）に送信する。ＮＡＣＫ送信用の共通リソースに関する設定情報は、システム情報（ＳＩＢ）によりｅＮＢ２００からブロードキャスト伝送してもよいし、個別のＲＲＣメッセージによりｅＮＢ２００からユニキャスト伝送してもよい。各ＵＥ１００は、設定情報を受信して記憶する。
【００６４】
ステップＳ１０２において、ｅＮＢ２００は、ＳＣ−ＰＴＭによるマルチキャスト伝送を開始する。
【００６５】
ステップＳ１０３において、ＵＥ１００（ＵＥ１００−１、ＵＥ１００−２）は、受信したマルチキャストデータの復号を試みる。
【００６６】
ステップＳ１０４において、ＵＥ１００（ＵＥ１００−１、ＵＥ１００−２）は、マルチキャストデータの復号に成功したか否かを確認する。ここでは、ＵＥ１００−１が復号に失敗し、ＵＥ１００−２が復号に成功した場合を想定する。
【００６７】
ステップＳ１０５において、ＵＥ１００−２は、ｅＮＢ２００へのフィードバック情報（ＮＡＣＫ）の送信を停止する。
【００６８】
一方、ステップＳ１０６において、ＵＥ１００−１は、ＮＡＣＫ送信用の共通リソースを用いて、ＮＡＣＫをｅＮＢ２００に送信する。
【００６９】
ステップＳ１０７において、ｅＮＢ２００は、ＮＡＣＫの受信に応じて、再送データをグループ内ＵＥ１００（ＵＥ１００−１、ＵＥ１００−２）に送信する。
【００７０】
その後、ステップＳ１０８において、ＵＥ１００（ＵＥ１００−１、ＵＥ１００−２）は、新たに受信したマルチキャストデータの復号に成功したか否かを確認する。ここでは、ＵＥ１００−１及びＵＥ１００−２が何れも復号に失敗した場合（Ｓ１０９:ＮＯ）を想定する。
【００７１】
ステップＳ１１０において、ＵＥ１００−１及びＵＥ１００−２は、ＮＡＣＫ送信用の共通リソースを用いて、ＮＡＣＫをｅＮＢ２００に送信する。これらのＮＡＣＫは、合成された状態でｅＮＢ２００により受信される。
【００７２】
ステップＳ１１１において、ｅＮＢ２００は、ＮＡＣＫの受信に応じて、再送データをグループ内ＵＥ１００（ＵＥ１００−１、ＵＥ１００−２）に送信する。
【００７３】
このように、ＳＣ−ＰＴＭについてはＮＡＣＫのみを送達確認情報として使用することにより、ＡＣＫの送信に伴う上りリンク無線リソース（例えば、ＰＵＣＣＨリソース）を節約することができる。また、ＵＥグループごとの共通リソースを用いてＮＡＣＫを送信することにより、ＮＡＣＫの送信に伴う上りリンク無線リソースも節約することができる。
【００７４】
（Ｎａｃｋ−ｏｎｌｙ  ＨＡＲＱフィードバックの送信パラメータ）
上述したように、Ｎａｃｋ−ｏｎｌｙ  ＨＡＲＱフィードバックによれば、マルチキャストを受信したＵＥ１００のうち、受信に失敗した全ＵＥ１００が同一リソース・同一信号系列でＮＡＣＫ情報をｅＮＢ２００にフィードバックし、ｅＮＢ２００ではマルチパス合成の要領で受信が可能である。また、ＵＥ個別のリソース・信号系列設定が不要なため、ＲＲＣアイドル状態のＵＥ１００でもフィードバック送信が可能である。
【００７５】
以下において、Ｎａｃｋ−ｏｎｌｙ  ＨＡＲＱフィードバックの送信パラメータについて説明する。実施形態において、ＲＲＣアイドル状態でＳＣ−ＰＴＭ受信を行うＵＥ１００は、ＮＡＣＫの送信に用いる送信パラメータを自律的に決定し、決定した送信パラメータを用いてＮＡＣＫを送信する。ここで「送信パラメータを自律的に決定する」とは、ＵＥ１００がｅＮＢ２００からのＵＥ個別設定パラメータ（例えば、個別ＲＲＣシグナリング）に依存せずに送信パラメータを決定することを意味する。「送信パラメータを自律的に決定する」とは、ＵＥ１００がｅＮＢ２００からの共通設定パラメータ（例えば、ブロードキャストＲＲＣシグナリング）を用いて送信パラメータを決定することを含んでもよい。
【００７６】
（１）タイミングアドバンス値
Ｎａｃｋ−ｏｎｌｙ  ＨＡＲＱフィードバックは、ＲＲＣアイドル状態のＵＥ１００でもフィードバック送信が可能であるが、フィードバックのタイミングを揃えなければならない。具体的には、セル端にＵＥ１００が近いほど、伝搬遅延を補償するために、上りリンクの送信タイミングを早める必要がある。ＬＴＥシステムにおいて、このような送信タイミング調整は、タイミングアドバンス（ＴＡ）値を用いて行われる。ＴＡ値は、下りリンクのタイミングを基準にして上りリンクのタイミングを早める度合いを示す値である。
【００７７】
実施形態において、ＵＥ１００は、ｅＮＢ２００から受信する参照信号の受信電力を測定し、測定した受信電力を閾値と比較する。そして、ＵＥ１００は、測定した受信電力と閾値との比較結果に基づいて、ＴＡ値を自律的に決定する。ＵＥ１００は、決定したＴＡ値を用いて、ｅＮＢ２００にＮＡＣＫを送信するタイミングを調整する。以下において、参照信号の受信電力をＲＳＲＰ（Ｒｅｆｅｒｅｎｃｅ  Ｓｉｇｎａｌ  Ｒｅｃｅｉｖｅｄ  Ｐｏｗｅｒ）と称し、閾値をＲＳＲＰ閾値と称する。
【００７８】
ｅＮＢ２００は、図７のステップＳ１０１において、ＲＳＲＰ閾値とＴＡ値との対応関係をＳＩＢによりＵＥ１００に通知してもよい。このようなＳＩＢは、ＳＣ−ＰＴＭ向けのＳＩＢであるＳＩＢタイプ２０（ＳＩＢ２０）であってもよい。或いは、ｅＮＢ２００は、ＲＳＲＰ閾値とＴＡ値との対応関係をＳＣ−ＭＣＣＨ（Ｓｉｎｇｌｅ  Ｃｅｌｌ  Ｍｕｌｔｉｃａｓｔ  Ｃｏｎｔｒｏｌ  Ｃｈａｎｎｅｌ）により送信してもよい。但し、ＲＳＲＰ閾値とＴＡ値との対応関係は、ＵＥ１００に事前設定されていてもよい。
【００７９】
図８は、ＲＳＲＰ閾値とＴＡ値との対応関係を示す図である。図８に示すように、複数のＴＡ値のそれぞれに、第１のＲＳＲＰ閾値（ＲＳＲＰ  Ｌｏｗ）及び第２のＲＳＲＰ閾値（ＲＳＲＰ  Ｈｉｇｈ）が対応付けられている。ＵＥ１００は、複数のＴＡ値のそれぞれについて、自身で測定したＲＳＲＰ（測定ＲＳＲＰ）が第１及び第２のＲＳＲＰ閾値の範囲内であるか確認する。測定ＲＳＲＰが第１及び第２のＲＳＲＰ閾値の範囲内である場合、当該第１及び第２のＲＳＲＰ閾値に対応するＴＡ値を、ＮＡＣＫ送信に用いるＴＡ値として決定する。具体的には、ＵＥ１００は、「ＲＳＲＰ  Ｌｏｗ≦測定ＲＳＲＰ＜ＲＳＲＰ  Ｈｉｇｈ」を満たすＴＡ値をＮＡＣＫ送信に用いるＴＡ値として決定する。
【００８０】
なお、ここではＲＳＲＰを用いる一例を説明したが、パスロスを用いてもよい。パスロスは、参照信号の送信電力及び受信電力の差である。例えば、ＵＥ１００は、ｅＮＢ２００から事前に通知された参照信号送信電力又は既知の参照信号送信電力から測定ＲＳＲＰを減算し、その結果をパスロスとして取得する。
【００８１】
また、図８に示すような対応関係を用いる方法に代えて、所定の数式を用いてもよい。以下において、所定の数式を用いる方法について説明する。
【００８２】
パスロスＰＬ［ｄＢ］、距離ｄ［ｍ］に対して、“PL=α+βlog(d)”のパスロスモデルを仮定する。ＴＡ（ＴＡ値）は距離ｄに比例するため、
TA=γexp{(PL-α)/β}=exp{(PL-α)/δ}
というように、αとδの２つの値で計算式を定義することができる。
【００８３】
また、ＲＳＲＰは“送信電力Ｐ−パスロスＰＬ”であるため、
TA=exp{(P-RSRP-α)/δ}        （１）
TA=exp{(ε-RSRP)/δ}          （２）
と表すことができる。
【００８４】
式（１）のように既知のＰを用いる場合、αとδをｅＮＢ２００からＵＥ１００にブロードキャストで通知する。これに対し、式（２）を用いる場合、εとδをｅＮＢ２００からＵＥ１００にブロードキャストで通知する。ＵＥ１００は、式（１）又は式（２）を用いてＴＡを計算する。
【００８５】
（２）パスロス補償係数、送信帯域幅
ＮＡＣＫを受信したｅＮＢ２００は、ＮＡＣＫの受信強度（受信電力）に基づいて、ＮＡＣＫを送信したＵＥ１００の大凡の数を推定できることが望ましい。ＮＡＣＫを送信したＵＥ１００の大凡の数に基づいて、ｅＮＢ２００は、例えばＳＣ−ＰＴＭ送信のＭＣＳを調整することができる。ｅＮＢ２００においてＵＥ数の推定を可能とするためには、各ＵＥ１００からの受信強度が揃っている必要がある。言い換えると、パスロスが異なるＵＥ１００からの受信信号を揃えなければならない。
【００８６】
実施形態において、ＵＥ１００は、ＮＡＣＫの送信電力を決定するためのパスロス補償係数として、所定のパスロス補償係数を決定する。ＵＥ１００は、割当ＲＢ数をＭ、ターゲット電力をＰ0、パスロスをＰＬ、ＵＥ最大送信電力をＰCMAXとすると、例えば下記の式（３）を用いて自身の送信電力Ｐを決定する。
【００８７】
P=Min(PCMAX, 10logM+P0+αPL)        （３）
【００８８】
ここで、所定のパスロス補償係数αは、“１”或いは実質的に“１”である。言い換えると、ＵＥ１００は、ｅＮＢ２００との間のパスロスを最大限補償するように送信電力を決定する。なお、ＲＲＣコネクティッド状態時のパスロス補償係数は、隣接セルへの干渉を抑制するために、１未満の値が設定されることが一般的である。
【００８９】
実施形態において、ＵＥ１００は、ＮＡＣＫの送信帯域幅として、所定の送信帯域幅を決定する。所定の送信帯域幅は、１ＲＢあるいは２ＲＢ程度である。すなわち、ＵＥ１００は、ＮＡＣＫの狭帯域送信を行う。ＵＥ１００がセル端に位置する場合、広い周波数帯域幅でＮＡＣＫを送信すると、ＵＥ１００の送信電力が飽和し、十分な送信電力（送信電力密度）を確保することができない。よって、ＵＥ１００は、ＮＡＣＫの狭帯域送信を行うことにより、十分な送信電力を確保することができる。
【００９０】
（３）サイクリックシフト
上述したように、ＮＡＣＫを受信したｅＮＢ２００は、ＮＡＣＫの受信強度（受信電力）に基づいて、ＮＡＣＫを送信したＵＥ１００の大凡の数を推定できることが望ましい。しかしながら、各ＵＥ１００からの信号の位相回転により、同相合成・逆相合成等が混在するため、十分なサンプルがないと統計的に受信電力が収束しない。
【００９１】
実施形態において、ＵＥ１００は、ＮＡＣＫに適用するサイクリックシフトを自律的に決定する。図９は、サイクリックシフトの周波数表現を示す図である。図９において、“ｎ”の値は、リソースエレメントごとの送信信号系列を示す。サイクリックシフトは、周波数領域において、周波数差に比例した位相回転として定義することができる。図１０は、サイクリックシフトの時間表現を示す図である。図１０に示すように、サイクリックシフトは、時間領域において遅延時間として定義することができる。
【００９２】
ＵＥ１００は、ランダム値に基づいてサイクリックシフトを決定する。具体的には、ＵＥ１００は、乱数又は疑似乱数を発生させて、発生させた乱数又は疑似乱数をサイクリックシフトとして用いてＮＡＣＫ信号に適用する。ＵＥ間の瞬時フェージングによる影響の平滑化のためには各ＵＥが広帯域送信をする必要があるが、乱数ベースのサイクリックシフトを導入すると、上述したような狭帯域送信を行う場合でも十分な統計効果を得ることができる。
【００９３】
或いは、ＵＥ１００は、自身の属性に基づいてサイクリックシフトを決定する。属性とは、自ＵＥ１００の地理的な位置であってもよい。地理的な位置とは、経度及び緯度であってもよいし、経度及び緯度のインデックスであってもよい。このようなインデックスは、ゾーンと称されてもよい。ＵＥ１００は、地理的な位置を示す情報を所定の計算式に代入することより得られた値をサイクリックシフトとして決定してもよい。或いは、属性とは、ＵＥ１００が有する識別情報であってもよい。識別情報は、ＩＭＳＩ（Ｉｎｔｅｒｎａｔｉｏｎａｌ  Ｍｏｂｉｌｅ  Ｓｕｂｓｃｒｉｂｅｒ  Ｉｄｅｎｔｉｔｙ）又はＳ−ＴＭＳＩ（ＳＡＥ  Ｔｅｍｐｏｒａｒｙ  Ｍｏｂｉｌｅ  Ｓｕｂｓｃｒｉｂｅｒ  Ｉｄｅｎｔｉｔｙ）である。ＩＭＳＩは、ＵＩＭカードに格納されている情報である。Ｓ−ＴＭＳＩは、ＵＥ１００がネットワークに位置登録を行う際にＭＭＥ３００からＵＥ１００に割り当てられる情報である。ＵＥ１００は、識別情報を所定の計算式に代入することより得られた値をサイクリックシフトとして決定してもよい。これらの属性に基づいてサイクリックシフトを決定する場合、ｅＮＢ２００は、受信したＮＡＣＫに対応するサイクリックシフトを特定してもよい。そして、ｅＮＢ２００は、特定したサイクリックシフトに基づいて、ＮＡＣＫを送信したＵＥ１００の属性を判定してもよい。
【００９４】
ここではサイクリックシフトを用いる一例を説明したが、サイクリックシフトに代えて、サブキャリアごとの送信電力を用いてもよい。ＵＥ１００は、ランダム値又は自身の属性に基づいて、サブキャリアごとの送信電力を自律的に決定する。
【００９５】
（４）時間・周波数リソース
上述したように、ＮＡＣＫを受信したｅＮＢ２００は、ＮＡＣＫの受信強度（受信電力）に基づいて、ＮＡＣＫを送信したＵＥ１００の大凡の数を推定できることが望ましい。また、ｅＮＢ２００は、ＮＡＣＫを送信したＵＥ１００の大凡の位置を推定できることが望ましい。
【００９６】
実施形態において、ＵＥ１００は、ｅＮＢ２００から受信する参照信号の受信電力（ＲＳＲＰ）を測定し、測定ＲＳＲＰをＲＳＲＰ閾値と比較する。そして、ＵＥ１００は、測定ＲＳＲＰとＲＳＲＰ閾値との比較結果に基づいて、ＮＡＣＫの送信に用いる時間・周波数リソースを自律的に決定する。ＵＥ１００は、決定した時間・周波数リソースを用いて、ｅＮＢ２００にＮＡＣＫを送信する。
【００９７】
ｅＮＢ２００は、図７のステップＳ１０１において、ＲＳＲＰ閾値と時間・周波数リソースとの対応関係をＳＩＢによりＵＥ１００に送信してもよい。このようなＳＩＢは、ＳＣ−ＰＴＭ向けのＳＩＢであるＳＩＢタイプ２０（ＳＩＢ２０）であってもよい。或いは、ｅＮＢ２００は、ＲＳＲＰ閾値と時間・周波数リソースとの対応関係をＳＣ−ＭＣＣＨにより送信してもよい。但し、ＲＳＲＰ閾値と時間・周波数リソースとの対応関係は、ＵＥ１００に事前設定されていてもよい。
【００９８】
図１１は、ＲＳＲＰ閾値と時間・周波数リソースとの対応関係を示す図である。図１１に示すように、複数の時間・周波数リソースのそれぞれに、第１のＲＳＲＰ閾値（ＲＳＲＰ  Ｌｏｗ）及び第２のＲＳＲＰ閾値（ＲＳＲＰ  Ｈｉｇｈ）が対応付けられている。時間・周波数リソースは、時間リソースと周波数リソースとの組み合わせにより構成される。時間リソースは、システムフレーム番号、サブフレーム番号、スロット番号、シンボル番号のうち少なくとも１つにより識別される。周波数リソースは、キャリア周波数番号、リソースブロック番号、サブキャリア番号のうち少なくとも１つにより識別される。このような番号によりリソースが指定される場合に限らず、リソースの範囲（時間範囲、周波数範囲）が指定されてもよい。
【００９９】
ＵＥ１００は、複数の時間・周波数リソースのそれぞれについて、自身で測定したＲＳＲＰ（測定ＲＳＲＰ）が第１及び第２のＲＳＲＰ閾値の範囲内であるか確認する。測定ＲＳＲＰが第１及び第２のＲＳＲＰ閾値の範囲内である場合、当該第１及び第２のＲＳＲＰ閾値に対応する時間・周波数リソースを、ＮＡＣＫ送信に用いる時間・周波数リソースとして決定する。具体的には、ＵＥ１００は、「ＲＳＲＰ  Ｌｏｗ≦測定ＲＳＲＰ＜ＲＳＲＰ  Ｈｉｇｈ」を満たす時間・周波数リソースをＮＡＣＫ送信に用いる時間・周波数リソースとして決定する。なお、ここではＲＳＲＰを用いる一例を説明したが、パスロスを用いてもよい。また、ＲＳＲＰ閾値に代えてパスロス閾値を用いてもよい。
【０１００】
また、パスロス（パスロス閾値）に応じて時間・周波数リソースを決定することに加えて、次のような送信電力制御を用いてもよい。具体的には、式（３）のような送信電力算出式において、ターゲット電力Ｐ0をパスロス閾値に基づいて決定する。ｅＮＢ２００は、パスロス閾値とターゲット電力との対応関係をＳＩＢによりＵＥ１００に通知する。例えば、ＰＬ０≦ＰＬ＜ＰＬ１の場合にはＸ０、ＰＬ１≦ＰＬ＜ＰＬ２の場合にはＸ１、・・・等である。ここで、ＰＬ１、ＰＬ２、…はパスロス閾値であり、Ｘ０、Ｘ１…はターゲット電力である。ＵＥ１００は、算出したパスロスをパスロス閾値と比較し、適切なターゲット電力を選択する。そして、ＵＥ１００は、選択したターゲット電力に基づいて自身の送信電力を決定する。これにより、パスロスに応じたリソース内でのｅＮＢ２００における各ＵＥ１００からの受信電力が揃うようにしつつ、Ｘ０≧Ｘ１とすることで、セル端ＵＥの送信電力が大きくなり過ぎないようにすることができる。
【０１０１】
ｅＮＢ２００は、受信したＮＡＣＫに対応する時間・周波数リソースを特定してもよい。そして、ｅＮＢ２００は、特定した時間・周波数リソースに基づいて、ＮＡＣＫを送信したＵＥ１００の大凡の位置を判定してもよい。
【０１０２】
なお、ここではＲＳＲＰ又はパスロスに基づいて時間・周波数リソースを決定する一例を説明したが、「（３）サイクリックシフト」で説明したようなＵＥ１００の属性情報（特に、識別情報）に基づいて時間・周波数リソースを決定してもよい。ＵＥ１００は、自身の識別情報を所定の計算式に代入することより得られた値により時間・周波数リソースを決定してもよい。ｅＮＢ２００は、受信したＮＡＣＫに対応する時間・周波数リソースを特定し、特定した時間・周波数リソースに基づいて、ＮＡＣＫを送信したＵＥ１００を推定してもよい。
【０１０３】
［その他の実施形態］
上述した実施形態において、ＳＣ−ＰＴＭ受信を行うＵＥ１００がＲＲＣアイドル状態（特定状態）であるケースを主として想定していた。しかしながら、ＳＣ−ＰＴＭ受信を行うＵＥ１００は、Ｌｉｇｈｔ  ｃｏｎｎｅｃｔｅｄ状態（特定状態）であってもよい。Ｌｉｇｈｔ  ｃｏｎｎｅｃｔｅｄ状態は、ＵＥ１００のコンテキスト状態がネットワークに保持されつつ、ＵＥ１００とネットワークとの間のシグナリングがＲＲＣコネクティッド状態よりも削減される状態である。
【０１０４】
上述した実施形態において、下りリンクに関するフィードバック情報が送達確認情報（ＡＣＫ／ＮＡＣＫ）であるケースを主として想定していた。しかしながら、フィードバック情報は、チャネル状態情報（ＣＳＩ）であってもよい。
【０１０５】
上述した実施形態において、ＳＣ−ＰＴＭにフィードバック（Ｎａｃｋ−ｏｎｌｙ  ＨＡＲＱフィードバック）を導入する一例について説明した。しかしながら、本発明はＳＣ−ＰＴＭに限定されない。例えば、ＭＢＭＳにフィードバックを導入する場合にも本発明を適用してもよい。また、ＳＣ−ＰＴＭやＭＢＭＳにフィードバックを導入する場合に限らず、ＳＣ−ＰＴＭやＭＢＭＳ以外のマルチキャスト／ブロードキャスト伝送に本発明を適用してよい。或いは、所定の条件（ｅＮＢ２００からＳＩＢやＤＣＩ等で指示された場合等）下でのみＮＡＣＫフィードバックを行うという方法であってもよい。
【０１０６】
上述した実施形態において、移動通信システムとしてＬＴＥシステムを例示した。しかしながら、本発明はＬＴＥシステムに限定されない。ＬＴＥシステム以外のシステムに本発明を適用してもよい。
【０１０７】
［相互参照］
本願は、日本国特許出願第２０１６−１４９０５３号（２０１６年７月２８日出願）の優先権を主張し、その内容の全てが本願明細書に組み込まれている。
【図１】
0006646152.tif 000002
【図２】
0006646152.tif 000003
【図３】
0006646152.tif 000004
【図４】
0006646152.tif 000005
【図５】
0006646152.tif 000006
【図６】
0006646152.tif 000007
【図７】
0006646152.tif 000008
【図８】
0006646152.tif 000009
【図９】
0006646152.tif 000010
【図１０】
0006646152.tif 000011
【図１１】
0006646152.tif 000012